(57)【要約】【課題】ウェーハ回転中心にパーティクルが密集することを防止し、かつ、乾燥痕などの発生を防止できるウェーハの処理装置及びウェーハの処理方法。【解決手段】チャンバー内に回転可能なテーブルと、該テーブル上に配置された複数の保持ピンとを具備し、該複数の保持ピンでウェーハの周縁部を保持して、該ウェーハを回転させながら洗浄及び／又は乾燥処理するウェーハの処理装置であって、  前記複数の保持ピンのうち１本以上は駆動可能で、前記保持したウェーハに掛かる合成力がウェーハを上凸に反らす方向になるように前記ウェーハを押しつけて保持するものであることを特徴とするウェーハの処理装置。【選択図】図１
2019161022.tif 000002
【特許請求の範囲】
【請求項１】
チャンバー内に回転可能なテーブルと、該テーブル上に配置された複数の保持ピンとを具備し、該複数の保持ピンでウェーハの周縁部を保持して、該ウェーハを回転させながら洗浄及び／又は乾燥処理するウェーハの処理装置であって、
前記複数の保持ピンのうち１本以上は駆動可能で、前記保持したウェーハに掛かる合成力がウェーハを上凸に反らす方向になるように前記ウェーハを押しつけて保持するものであることを特徴とするウェーハの処理装置。
【請求項２】
前記回転可能なテーブルの上面と前記保持されたウェーハの下面との、静止した状態における間隔が２０ｍｍ以上のものであることを特徴とする請求項１に記載のウェーハの処理装置。
【請求項３】
前記駆動可能な保持ピンが、前記ウェーハの半径よりも内側へ駆動可能なものであることを特徴とする請求項１又は請求項２に記載のウェーハの処理装置。
【請求項４】
前記駆動可能な保持ピンが、回転移動方式又は水平移動方式により駆動するものであることを特徴とする請求項１から請求項３のいずれか一項に記載のウェーハの処理装置。
【請求項５】
前記複数の保持ピンの先端形状が、前記ウェーハの面取り部を押す傾斜部と前記ウェーハの側面を水平方向へ押す垂直部とを有するものであることを特徴とする請求項１から請求項４のいずれか一項に記載のウェーハの処理装置。
【請求項６】
前記複数の保持ピンのうち２本以上は固定されたものであることを特徴とする請求項１から請求項５のいずれか一項に記載のウェーハの処理装置。
【請求項７】
前記複数の保持ピンが５．０Ｎ以上３０．０Ｎ以下の圧力で前記ウェーハを押しつけて保持するものであることを特徴とする請求項１から請求項６のいずれか一項に記載のウェーハの処理装置。
【請求項８】
チャンバー内において、回転可能なテーブル上に配置された複数の保持ピンでウェーハの周縁部を保持して、該ウェーハを回転させながら洗浄及び／又は乾燥処理するウェーハの処理方法であって、
前記ウェーハに掛かる合成力がウェーハを上凸に反らす方向になるように、前記複数の保持ピンのうち１本以上を駆動させることで前記ウェーハを押しつけて保持し、
前記保持したウェーハを、前記回転可能なテーブルを回転させることで回転させながら、上凸形状に変形させて洗浄及び／又は乾燥処理することを特徴とするウェーハの処理方法。
【請求項９】
前記回転可能なテーブルの上面と前記ウェーハの下面との静止した状態における間隔が２０ｍｍ以上となるように、前記ウェーハを配置して保持することを特徴とする請求項８に記載のウェーハの処理方法。
【請求項１０】
前記ウェーハを、前記複数の保持ピンのうち１本以上を回転移動方式又は水平移動方式により駆動させることで押しつけて保持することを特徴とする請求項８又は請求項９に記載のウェーハの処理方法。
【請求項１１】
前記ウェーハを、５．０Ｎ以上３０．０Ｎ以下の圧力を加えることで押しつけて保持することを特徴とする請求項８から請求項１０のいずれか一項に記載のウェーハの処理方法。
【発明の詳細な説明】
【技術分野】
【０００１】
本発明は、ウェーハの処理装置及び処理方法に関する。
【背景技術】
【０００２】
ウェーハを洗浄及び／又は乾燥処理する装置として、図１０に示したようなウェーハの処理装置１０１が知られている。ウェーハの処理装置１０１は、エアーを給気する給気部１０２及び排気を行う排気部１０３を備えたチャンバー１０４と、薬液を供給するノズルヘッド（ノズルブロック）を有するノズル部１０５、複数の保持ピン１０６を備えウェーハＷの周縁部を保持して回転させるテーブル１０７と、飛散した薬液を回収又は排液を行うための昇降可能なカップ部１０８等で構成されている（例えば、特許文献１）。
【０００３】
このような処理装置１０１を用いて、ウェーハＷを保持して回転させながら洗浄や乾燥処理を行っている。
【先行技術文献】
【特許文献】
【０００４】
【特許文献１】特開２００８−０６０１０７号公報
【発明の概要】
【発明が解決しようとする課題】
【０００５】
近年のウェーハの大直径化に伴ってウェーハの自重が増し、保持ピン１０６で周縁部を保持されたウェーハＷは、多かれ少なかれ必ず洗浄や乾燥処理の際に中心部が凹んだ凹形状（下凸形状）となってしまう（図１１参照）。
【０００６】
しかしながら、これはやむを得ないものとして従来のウェーハの洗浄及び乾燥処理装置において、処理中のウェーハの凹形状の変形については考慮されていなかった。
【０００７】
さらに、従来の処理装置では洗浄中のウェーハの飛び出しを防ぐためにベルヌーイ効果を高める構造であることが一般的であり、ベルヌーイ効果を高くするためにウェーハとテーブルの隙間を狭くすると、ウェーハとテーブル間が負圧になることで、更にウェーハが凹形状に変形しやすくなっている（図１２参照）。
【０００８】
ここで、ウェーハの乾燥時には遠心力により薬液を飛ばして乾燥させるが、洗浄後乾燥を行う際にウェーハが凹形状であると、中心付近の遠心力は弱くウェーハ中心に向かう傾斜を持つためにウェーハ上の薬液は中心に集まるようになり、乾燥がウェーハ最外周又は外周近辺から始まり中心部が最後に乾燥するということが問題となる（図１１、図１２参照）。
【０００９】
ウェーハ外周から中心へ向けて乾燥すると、液中に微小パーティクル等が含まれていた場合、ウェーハ中心に集まったり、乾燥痕を発生させたりしてしまう。
【００１０】
本発明は、上記問題を解決するためになされたものであり、ウェーハ回転中心にパーティクルが密集することを防止し、かつ、乾燥痕などの発生を防止できるウェーハの処理装置及びウェーハの処理方法を提供することを目的とする。
【課題を解決するための手段】
【００１１】
上記課題を達成するために、本発明では、チャンバー内に回転可能なテーブルと、該テーブル上に配置された複数の保持ピンとを具備し、該複数の保持ピンでウェーハの周縁部を保持して、該ウェーハを回転させながら洗浄及び／又は乾燥処理するウェーハの処理装置であって、前記複数の保持ピンのうち１本以上は駆動可能で、前記保持したウェーハに掛かる合成力がウェーハを上凸に反らす方向になるように前記ウェーハを押しつけて保持するものであるウェーハの処理装置を提供する。
【００１２】
このようなウェーハの処理装置であれば、洗浄や乾燥処理中のウェーハ形状を上凸形状に変形させることができるため、処理後にウェーハ回転中心にパーティクルが密集することを防止し、かつ、乾燥痕などの発生を防止できるものとなる。
【００１３】
前記回転可能なテーブルの上面と前記保持されたウェーハの下面との、静止した状態における間隔が２０ｍｍ以上のものであることが好ましい。
【００１４】
このようなものであれば、ウェーハを回転させてもベルヌーイ効果を抑制することができ、より容易にウェーハを上凸に反らすことができるものとなる。
【００１５】
また、前記駆動可能な保持ピンが、前記ウェーハの半径よりも内側へ駆動可能なものとすることができる。
【００１６】
このようなものであれば、ウェーハが凸形状に変形した時でもウェーハを十分に押しつけることができるため、より安定してウェーハを保持することができるものとなる。
【００１７】
また、前記駆動可能な保持ピンが、回転移動方式又は水平移動方式により駆動するものとすることができる。
【００１８】
本発明における保持ピンは、このような移動方式を適宜選択できる。
【００１９】
また、前記複数の保持ピンの先端形状が、前記ウェーハの面取り部を押す傾斜部と前記ウェーハの側面を水平方向へ押す垂直部とを有するものであることが好ましい。
【００２０】
このような形状であれば、ウェーハを押しつけてもズレが生じず、より安定してウェーハを上凸として保持することができるものとなる。
【００２１】
また、前記複数の保持ピンのうち２本以上は固定されたものであることが好ましい。
【００２２】
保持ピンがこのような本数で固定ピンを有するものであれば、より安定してウェーハを保持することができ、回転時の乱流発生をより抑制できるものとなる。
【００２３】
また、前記複数の保持ピンが５．０Ｎ以上３０．０Ｎ以下の圧力で前記ウェーハを押しつけて保持するものであることが好ましい。
【００２４】
このような圧力範囲であれば、より安定してウェーハを上凸にして保持することができ、ウェーハの割れがより抑制できるものとなる。
【００２５】
また、本発明では、チャンバー内において、回転可能なテーブル上に配置された複数の保持ピンでウェーハの周縁部を保持して、該ウェーハを回転させながら洗浄及び／又は乾燥処理するウェーハの処理方法であって、前記ウェーハに掛かる合成力がウェーハを上凸に反らす方向になるように、前記複数の保持ピンのうち１本以上を駆動させることで前記ウェーハを押しつけて保持し、前記保持したウェーハを、前記回転可能なテーブルを回転させることで回転させながら、上凸形状に変形させて洗浄及び／又は乾燥処理するウェーハの処理方法を提供する。
【００２６】
このように、本発明のウェーハの処理方法では、ウェーハを上凸形状に変形させて洗浄及び／又は乾燥処理するため、処理後のウェーハ回転中心にパーティクルが密集することを防止し、かつ、乾燥痕などの発生を防止できる。
【００２７】
また、前記回転可能なテーブルの上面と前記ウェーハの下面との静止した状態における間隔が２０ｍｍ以上となるように、前記ウェーハを配置して保持することが好ましい。
【００２８】
このようにすれば、ウェーハを回転させてもベルヌーイ効果を抑えて、より容易にウェーハを上凸に反らすことができる。
【００２９】
また、前記ウェーハを、前記複数の保持ピンのうち１本以上を回転移動方式又は水平移動方式により駆動させることで押しつけて保持することができる。
【００３０】
このように、移動方式を適宜選択して保持ピンを駆動させることができる。
【００３１】
また、前記ウェーハを、５．０Ｎ以上３０．０Ｎ以下の圧力を加えることで押しつけて保持することが好ましい。
【００３２】
このような圧力範囲であれば、より安定してウェーハを上凸にして保持することができ、ウェーハの割れをより抑制できる。
【発明の効果】
【００３３】
以上のように、本発明のウェーハの処理装置及びウェーハの処理方法であれば、処理中のウェーハの形状を上凸形状とすることができるため、処理後にウェーハ回転中心にパーティクルが密集することを防止し、かつ、乾燥痕などの発生を防止できる。
【図面の簡単な説明】
【００３４】
【図１】本発明のウェーハの処理装置の一例を示す概略図である。
【図２】本発明のウェーハの処理装置における、洗浄及び乾燥中のウェーハの形状を示す概略図である。
【図３】ウェーハを上凸に反らすことができる方法を説明するための図である。（Ａ）〜（Ｃ）ウェーハを上凸に反らすことができない例、（Ｄ）ウェーハを上凸に反らすことができる例。
【図４】本発明のウェーハの処理装置において用いることができる保持ピンの形状の一例を示す側面図及び上面図である。
【図５】本発明のウェーハの処理装置における、駆動可能な保持ピンの駆動方式を示す概略図である。
【図６】本発明のウェーハの処理装置における、ウェーハを保持する際の保持ピンの本数及び配置の一例を示す上面図である。
【図７】実施例及び比較例において用いた保持ピンの形状を示す概略図である。
【図８】実施例における、ウェーハの形状及びウェーハの乾燥方向を示す概略図である。
【図９】実施例及び比較例における乾燥処理後の増加欠陥数を示すグラフである。
【図１０】従来のウェーハの処理装置の一例を示す概略図である。
【図１１】従来のウェーハの処理装置において、保持されたウェーハを拡大した概略図である。
【図１２】従来のウェーハの処理装置におけるベルヌーイ効果によるウェーハの形状及びウェーハの乾燥方向を示す概略図である。
【発明を実施するための形態】
【００３５】
上述のように、ウェーハ回転中心にパーティクルが密集することを防止し、かつ、乾燥痕などの発生を防止できるウェーハの処理装置及びウェーハの処理方法の開発が求められていた。
【００３６】
本発明者らは、上記課題について鋭意検討を重ねた結果、処理中のウェーハの形状を上凸形状に変形させることで、ウェーハの乾燥を外周から乾燥させずにウェーハ全面又は中心部分から乾燥させ始めることができることを見出し、本発明を完成させた。
【００３７】
即ち、本発明は、チャンバー内に回転可能なテーブルと、該テーブル上に配置された複数の保持ピンとを具備し、該複数の保持ピンでウェーハの周縁部を保持して、該ウェーハを回転させながら洗浄及び／又は乾燥処理するウェーハの処理装置であって、前記複数の保持ピンのうち１本以上は駆動可能で、前記保持したウェーハに掛かる合成力がウェーハを上凸に反らす方向になるように前記ウェーハを押しつけて保持するものであるウェーハの処理装置である。
【００３８】
また、本発明は、チャンバー内において、回転可能なテーブル上に配置された複数の保持ピンでウェーハの周縁部を保持して、該ウェーハを回転させながら洗浄及び／又は乾燥処理するウェーハの処理方法であって、前記ウェーハに掛かる合成力がウェーハを上凸に反らす方向になるように、前記複数の保持ピンのうち１本以上を駆動させることで前記ウェーハを押しつけて保持し、前記保持したウェーハを、前記回転可能なテーブルを回転させることで回転させながら、上凸形状に変形させて洗浄及び／又は乾燥処理するウェーハの処理方法である。
【００３９】
以下、本発明について詳細に説明するが、本発明はこれらに限定されるものではない。
【００４０】
［ウェーハの処理装置］
まず、本発明のウェーハの処理装置について説明する。図１は、本発明におけるウェーハの処理装置の一例を示す概略図である。
【００４１】
ウェーハの処理装置１は、例えばエアーを給気する給気部２及び排気を行う排気部３を備えたチャンバー４、薬液を供給するノズル部５、及び飛散した薬液を回収又は排液を行うための昇降可能なカップ部８等を具備している。ウェーハの処理装置１は、処理するウェーハＷの周縁部を、回転駆動するテーブル７上に配置された複数の保持ピン６で保持し、ウェーハＷを回転させながら、洗浄及び／又は乾燥処理をすることができる。
【００４２】
本発明のウェーハの処理装置１は、複数の保持ピン６のうち１本以上は駆動可能で、保持したウェーハＷに掛かる合成力がウェーハを上凸に反らす方向になるようにウェーハＷを押しつけて保持できるものである。図２に示すように、本発明のウェーハの処理装置１であれば、ウェーハＷを上凸形状に変形させて洗浄や乾燥処理することができ、ウェーハ上の薬液をウェーハ外周へ飛ばすことができる。
【００４３】
ウェーハを押しつけて保持する方法は、ウェーハを上凸に反らすことができれば特に限定されないが、例えば以下のようにすることができる。
【００４４】
図３は、ウェーハを上凸に反らせる方法の一例を説明するための図である。ウェーハを上に凸形状に変形させるために、ウェーハ中心斜め上方向へ保持する力（ウェーハＷを上凸に反らす力）をウェーハ両端から加える。図３（Ａ）に示したようなウェーハのベベル部（面取り部）を保持できる保持ピンを用いた場合、ウェーハ横方向へ保持する力を加えないとウェーハ中心斜め上方向への力が発生しない。また、図３（Ｂ）及び（Ｃ）に示したようなウェーハ底面と側面を保持する保持ピンを用いた場合も、ウェーハ中心斜め上方向への力が発生しない。
そこで、例えば図３（Ｄ）に示したように、保持ピン６の形状をウェーハ側面だけでなくベベル部分も接触できるものとし、かつ、ウェーハ中心へ向けて力を加えてウェーハＷを保持することでウェーハＷを上凸に反らすことができる。
【００４５】
本発明において、保持ピン６の先端形状はウェーハＷを上凸に反らすことができれば、特に限定されるものでないが、図４に示したような、ウェーハＷのベベル部を押す傾斜部と、ウェーハＷの側面を水平方向へ押す垂直部を持つ構造を有するものが好ましい。また、ウェーハＷを真横から押す接触部を有することもできる。このような保持ピン６であれば、ウェーハ中心斜め上方向に力が加わってもウェーハＷが上方向にズレる恐れがない。また、保持ピン６が傾斜部を有する場合、傾斜部（傘の部分）の大きさは特に限定されないが、直径３．０ｍｍ以上で２０．０ｍｍ以下が好ましい。この範囲であれば、十分にウェーハを保持することができ、また、ウェーハの回転時に乱流が発生する恐れがない。
【００４６】
また、駆動可能な保持ピン６が、ウェーハＷの半径よりも内側へ駆動可能なものとすることができる。このようなものであれば、ウェーハＷを設置する時、及びウェーハＷが上凸形状になりウェーハ半径が縮んだ場合でも、ウェーハＷを十分に押しつけることができ、より容易にウェーハＷを上凸に反らして保持することができる。
【００４７】
また、駆動可能な保持ピン６は、ウェーハを設置時に丁度ウェーハと接触する位置をゼロ点とすると、ウェーハＷ中心側へ１〜１０ｍｍの可動域とすることもできる。また、ウェーハＷ設置の際に駆動可能な保持ピン６はテーブル７外方向へゼロ点から１ｍｍ〜１０ｍｍ程度動くようにすることが好ましい。このような可動域の範囲であれば、ウェーハＷが変形しすぎて割れてしまう恐れがなく、また、ウェーハＷを置くときに接触する恐れもなく、ウェーハの搬出入も容易になる。
【００４８】
また、図５のように、駆動可能な保持ピン６の駆動方式は、回転移動方式と水平移動方式の二種類を適宜選択することができる。
【００４９】
また、図６に示したように、ウェーハＷを置く際に保持ピン６の内２本以上、５本以内は固定されたものであることが好ましい。保持ピン６がこの本数であれば、十分にウェーハＷを保持でき、かつ、ウェーハＷ回転時に乱流発生の恐れがない。
【００５０】
また、保持ピン６がウェーハＷを押し付ける圧力は、５．０Ｎ以上３０．０Ｎ以下であることが好ましい。このような圧力範囲であれば、より安定してウェーハＷを上凸にして保持することができ、ウェーハＷが割れる恐れもない。
【００５１】
保持ピン６のウェーハＷと接触する部分の材質は、特に限定されないが、ポリイミド、ポリエチレン、ポリプロピレン、パラキシレン、ＰＴＦＥ（ポリテトラフロオロエチレン）、ＰＦＡ（テトラフルオロエチレン・パーフルオロアルキルビニルエーテル共重合体）、ダイフロン（ＴＴＣＦＥ）（テフロン（登録商標））、ＰＥＥＫ（ポリエーテルエーテルケトン樹脂）、ＰＶＣ（ポリ塩化ビニル）等の樹脂等を例示できる。
【００５２】
また、保持ピン６の芯材としては、特に限定されないが、ＳＵＳ（ステンレス鋼）や超鋼などの金属部材にポリイミド、ポリエチレン、ポリプロピレン、パラキシレン、ＰＴＦＥ、ＰＦＡ、ダイフロン（ＴＴＣＦＥ）（テフロン（登録商標））、ＰＥＥＫ、ＰＶＣ等の樹脂等のコーティングやＤＬＣ（ダイヤモンドライクカーボン）コーティングを施したものを例示できる。
【００５３】
また、回転可能なテーブル７の上面と前記保持されたウェーハＷの下面との、静止した状態における間隔が２０ｍｍ以上であることが好ましい。
【００５４】
ウェーハＷ下面とテーブル７上面の間隔が１０ｍｍ以下であるとベルヌーイ効果によりウェーハＷとテーブル７間の圧力がチャンバー内圧力に比べて負圧になり、ウェーハＷがより凹形状になりやすい。従って、ウェーハＷの下面とテーブル７上面の間隔が１０ｍｍより大きいものであることが好ましく、特には２０ｍｍ以上で１００ｍｍ以下であるものが好ましい。このような範囲であれば、より容易にウェーハＷを上凸形状とすることができ、かつ、保持ピン６が折れる恐れがない。
【００５５】
このように、ウェーハの乾燥時、遠心力により薬液を飛ばして乾燥させるが、本発明のウェーハの処理装置では、ウェーハ形状を上凸形状とできるため、中心付近の遠心力は弱くウェーハ外周に向かう傾斜を持ち、ウェーハ上の薬液等は外周側へ行く。そのため乾燥時は中心から乾燥するようになり、液中に微小パーティクル等が含まれていても外周へ飛ばすことができ、また乾燥痕も発生させないものとなる。
【００５６】
［ウェーハの処理方法］
続いて、本発明のウェーハの処理方法を、上記本発明のウェーハの処理装置１を用いる場合を例に説明する。
【００５７】
本発明のウェーハの処理方法では、チャンバー４内において、回転可能なテーブル７上に配置された複数の保持ピン６でウェーハＷの周縁部を保持する。この際、ウェーハＷに掛かる合成力がウェーハを上凸に反らす方向になるように、複数の保持ピン６のうち１本以上を駆動させることでウェーハＷを押しつけて保持する。この保持したウェーハＷを、回転可能なテーブル７を回転させることで回転させながら、上凸形状に変形させて洗浄及び／又は乾燥処理する。
【００５８】
このとき、回転可能なテーブル７の上面とウェーハＷの下面との静止した状態における間隔が２０ｍｍ以上となるように、ウェーハＷを配置して保持することが好ましい。このようにウェーハＷを配置することで、ベルヌーイ効果を小さくすることができ、ウェーハＷをより容易に上凸形状と変形させることができる。
【００５９】
また、複数の保持ピン６のうち１本以上を回転移動方式又は水平移動方式により駆動させることでウェーハＷを押しつけて保持することができる。このように、本発明のウェーハの処理方法においては、移動方式を適宜選択して保持ピン６を駆動させることができる。
【００６０】
この時、ウェーハＷを、５．０Ｎ以上３０．０Ｎ以下の圧力を加えることで押しつけて保持することが好ましい。このような圧力範囲であれば、より安定してウェーハＷを上凸にして保持することができ、ウェーハＷが割れる恐れもない。
【実施例】
【００６１】
以下、実施例及び比較例を用いて本発明を具体的に説明するが、本発明はこれらに限定されるものではない。
【００６２】
（実施例１〜２）
直径３００ｍｍのウェーハ各４枚に対して、図１に示されるような本発明のウェーハの処理装置を用いて、表１中に示す条件で、ウェーハを上凸形状に変形させて洗浄及び乾燥処理を行った。この時用いた保持ピン形状は、図７に示したようなものである。なお、洗浄方法は一般的なフッ酸とオゾン水を交互に繰り返す洗浄を行い、使用薬液としては、純水、濃度が０．５質量％のフッ酸、濃度が２０ｐｐｍのオゾン水を用いた。このとき、実施例１〜２におけるウェーハの形状及び乾燥方向は、図８に示したものとなった。
【００６３】
洗浄前と洗浄後のウェーハ上の欠陥の同点観察を行い、増加した欠陥数を評価した。ＫＬＡ−Ｔｅｎｃｏｒ社製Ｓｕｒｆｓｃａｎ  ＳＰ５を用いて行い、粒径１９ｎｍ以上のウェーハ上の欠陥数を測定した。
【００６４】
（比較例１〜２）
ウェーハを上凸形状に変形させなかったこと以外は、実施例１〜２と同様の手順でウェーハの洗浄及び乾燥処理を行い、評価を行った。このとき、比較例１〜２におけるウェーハの形状及び乾燥方向は、従来と同様に、図１２に示したものとなった。
【００６５】
【表１】
2019161022.tif 000003
【００６６】
実施例、比較例における結果を図９にまとめた。図９に示したように、ウェーハを上凸形状に変形させて洗浄及び乾燥を行った実施例１及び実施例２では、洗浄中や乾燥時に薬液がウェーハ外周へ広がるので、パーティクル残りに起因する欠陥数の増加がほとんど見られず、また、ウェーハ回転中心での乾燥痕などは発生せず全体的に品質が良かった。一方、従来のようにウェーハ形状が下凸形状の状態で洗浄及び乾燥を行った比較例１及び比較例２では、薬液がウェーハの回転中心へ集まってしまい、パーティクル残りに起因する欠陥数の増加が顕著であり、乾燥痕残りの中心密集が発生し品質が悪かった。
【００６７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００６８】
１…ウェーハの処理装置、  ２…給気部、  ３…排気部、  ４…チャンバー、
５…ノズル部、  ６…保持ピン、  ７…テーブル、  ８…カップ部
Ｗ…ウェーハ。
【図１】
2019161022.tif 000004
【図２】
2019161022.tif 000005
【図３】
2019161022.tif 000006
【図４】
2019161022.tif 000007
【図５】
2019161022.tif 000008
【図６】
2019161022.tif 000009
【図７】
2019161022.tif 000010
【図８】
2019161022.tif 000011
【図９】
2019161022.tif 000012
【図１０】
2019161022.tif 000013
【図１１】
2019161022.tif 000014
【図１２】
2019161022.tif 000015